(57)【要約】【課題】可動キャビネットを簡単な作業で２列以上増設可能にする。【解決手段】固定キャビネット１に対して２列目にスライド可能なキャビネット４を設置するべく、固定キャビネットを載置する固定ベース３に、レール６と一体の基本枕木５を結合する。さらに３列目にもスライド可能なキャビネット１４を設置できるように、レールと一体の増設枕木１５に、基本枕木に没入して結合される連結用凸状部分１５ｂと、連結用凸状部分とは相反する側に連結用凹状部分１５ｄとを設ける。その連結用凹状部分を連結用凸状部分が連結可能な形状及び構造にする。結合手段として例えばボルト・ナットを用いることで、連結用凸状部分と連結用凹状部分とのボルト止めという簡単な作業で、スライドキャビネットを複数列に容易に増設することができる。【選択図】図１
2011120738.tif 000002
【特許請求の範囲】
【請求項１】
床に固定される床固定部材と、前記床固定部材に一体的に取り付けられかつキャビネットをスライド可能に支持するレールとを有するスライドキャビネット用台座であって、
前記床固定部材が、設置済みのキャビネットを支持する台座に結合手段により結合される連結用凸状部分と、前記連結用凸状部分とは相反する側に設けられかつ前記連結用凸状部分を受容する形状に形成された連結用凹状部分とを有し、
設置済みの前記床固定部材の前記連結用凹状部分に、増設される前記床固定部材の前記連結用凸状部分を没入して、前記連結用凹状部分と前記連結用凸状部分とを結合手段により結合することにより、２つ以上の前記床固定部材が連結されることを特徴とするスライドキャビネット用台座。
【請求項２】
前記連結用凹状部分と前記増設される前記床固定部材の前記連結用凸状部分との前記結合手段による結合部分が、前記キャビネットを１台分スライドさせることにより露出する位置に設けられていることを特徴とする請求項１に記載のスライドキャビネット用台座。
【請求項３】
１列に並べて固定された複数の固定キャビネットの上面に前記キャビネットのスライド方向に延在するように設けられた上部レールと、前記スライド可能なキャビネットに取りつけられかつ前記上部レールに至る連結部材とを有し、
前記連結部材の前記上部レールに至る端部が、前記上部レールに対して前記スライド方向には移動自在に設けられ、かつ前記キャビネットの前記スライド方向とは異なる向きの倒れに対しては前記上部レールと係合することを特徴とする請求項１または請求項２に記載のスライドキャビネット用台座。
【発明の詳細な説明】
【技術分野】
【０００１】
本発明は、スライドキャビネット用台座に関し、特に可動キャビネットを複数列に増設可能なスライドキャビネット用台座に関するものである。
【背景技術】
【０００２】
従来、限られたスペースでより多くの物品を収納可能にするために、１列に配置された複数の固定キャビネットの前面側に、その前面に沿ってスライド可能にかつ一般的には１つ少ない数の可動キャビネットを配置したものがある。可動キャビネットの構造としては、キャビネットの下面に直接車輪を取り付けたり、キャビネットを載置可能な台車を用いたりして、レール上を移動可能にするようにしたものが知られている（例えば特許文献１参照）。
【先行技術文献】
【特許文献】
【０００３】
【特許文献１】特開平５−９１９２４号公報
【発明の概要】
【発明が解決しようとする課題】
【０００４】
上記特許文献１や従来公知の可動キャビネットを設置可能にしたものでは、固定キャビネット列に対して可動キャビネット列を１列追加したものがあるが、より一層のスペース効率向上のために可動キャビネットを２列以上設置することが望まれている。
【０００５】
一方、レールの設置においては、例えば、固定キャビネットの前面の床面に２本の平行レールをアンカーボルトで固定したり、上記特許文献１のように固定キャビネットに沿って並べて設置された複数の固定ベース体を介してレールを設けたりすることができる。アンカーボルトで固定する場合には、設置工事が大がかりになるばかりでなく、レールの平行度を出す作業等が煩雑化する等、簡単に増設することができないという問題がある。また、上記特許文献１は、レールの延長方向の増設を可能にするものであり、可動キャビネットを２列以上増やすという思想は無く、そのレイアウトに対する対策は何等考えられていない。
【課題を解決するための手段】
【０００６】
このような課題を解決して、可動キャビネットを簡単な作業で２列以上増設可能にするために、本発明に於いては、床に固定される床固定部材と、前記床固定部材に一体的に取り付けられかつキャビネットをスライド可能に支持するレールとを有するスライドキャビネット用台座であって、前記床固定部材が、設置済みのキャビネットを支持する台座に結合手段により結合される連結用凸状部分と、前記連結用凸状部分とは相反する側に設けられかつ前記連結用凸状部分を受容する形状に形成された連結用凹状部分とを有し、設置済みの前記床固定部材の前記連結用凹状部分に、増設される前記床固定部材の前記連結用凸状部分を没入して、前記連結用凹状部分と前記連結用凸状部分とを結合手段により結合することにより、２つ以上の前記床固定部材が連結されるものとした。
【０００７】
これによれば、スライドキャビネットの台座の床固定部材に設けられている連結用凹状部分に増設用台座の床固定部材の連結用凸状部分を没入し、結合手段として例えばボルト・ナットを用いて連結用凹状部分と連結用凸状部分とを結合するという簡単な作業で、台座を増設して、設置済みのキャビネットにスライドキャビネットを増設することができる。また、床固定部材にケールを一体的に取り付ける場合に、例えば連結用凸状部分の突出方向とレールとを直交させることにより、増設作業のみで、設置済みのレールに対して増設されるレールの平行度を確保することができ、作業性が良い。
【０００８】
特に、前記連結用凹状部分と前記増設される前記床固定部材の前記連結用凸状部分との前記結合手段による結合部分が、前記キャビネットを１台分スライドさせることにより露出する位置に設けられていると良い。これによれば、設置済みのキャビネットを一旦取り除くことなく、スライドキャビネットを容易に増設することができる。
【０００９】
また、１列に並べて固定された複数の固定キャビネットの上面に前記キャビネットのスライド方向に延在するように設けられた上部レールと、前記スライド可能なキャビネットに取りつけられかつ前記上部レールに至る連結部材とを有し、前記連結部材の前記上部レールに至る端部が、前記上部レールに対して前記スライド方向には移動自在に設けられ、かつ前記キャビネットの前記スライド方向とは異なる向きの倒れに対しては前記上部レールと係合すると良い。これによれば、増設されるスライドキャビネットがスライド方向とは異なる向きに倒れようとした場合には、固定キャビネット上の上部ケールと連結部材とが係合して倒れが防止されることから、増設されるキャビネットの安定したスライドが確保される。
【発明の効果】
【００１０】
このように本発明によれば、キャビネットをスライド可能にするためのレールが一体的に取り付けられた床固定部材に連結用凸状部分と連結用凹状部分とが設けられており、増設する床固定部材の連結用凸状部分を、設置済みの床固定部材の連結用凹状部分に没入しかつ両部分を結合することにより、スライド可能なキャビネット列を増設することができ、結合手段として例えばボルト・ナットを用いることで、連結用凸状部分と連結用凹状部分とのボルト止めという簡単な作業で、スライドキャビネットを複数列に容易に増設することができる。
【図面の簡単な説明】
【００１１】
【図１】本発明が適用されたキャビネットの設置要領を示す全体斜視図である。
【図２】枕木の結合要領を示す平面図である。
【図３】レールの取り付け要領を示す要部拡大斜視図である。
【図４】スライドキャビネットを２列目に設置した状態を示す全体斜視図である。
【図５】スライドキャビネットを３列目に増設する状態を示す全体斜視図である。
【発明を実施するための形態】
【００１２】
以下、本発明の実施の形態を、図面を参照しながら説明する。図１は、本発明が適用されたキャビネットの設置要領を示す全体斜視図である。なお、各部材は、特に断らない限り、鋼板を折り曲げて適所を溶接して形成されたもの、またそれらを組み合わせて適所を溶接して形成されたものであって良い。
【００１３】
固定状態に設置される（固定）キャビネット１は、例えば公知のアンカーボルト止め（図示省略）により床２に固定された固定ベース３の上に載置され、例えば固定ベース３の上板部分にキャビネット１の底板部分を積層した状態で両部分同士の適所をボルト・ナットで結合して、床２に固定状態に設置される。なお、キャビネット１は、例えば部屋の壁面（図示せず）に後面を沿わせた状態で設置され、また図では２台で示されているが、設置スペースに応じて３台以上の横並び状態で設置されて良い。
【００１４】
固定キャビネット１の前面側には、スライド可能な（スライド）キャビネット４を、固定キャビネット１の数より少ない数（例えば１個少ない数）で設置される。スライドキャビネット４を設置するための台座は、床２に互いに並列に配設される複数本の基本枕木５と、各基本枕木５の上に横切る向きに設けられた互いに平行な２本のレール６とにより構成される。なお、基本枕木５とレール６とは公知のねじを用いた結合手段により結合されている。
【００１５】
スライドキャビネット４は、２本のレール６の上を移動可能な台車７に載置状態に結合され、台車７と共にレール６上を移動して、固定状態のキャビネット１に対して平行にスライド可能にされる。なお、キャビネット４の１台毎に同一投影面積の外形を有する台車７が設けられており、キャビネット４は１台ずつスライド可能である。また、レール６も、キャビネット４の１台分の幅に相当する長さで１本ずつ形成し、必要な長さに応じた本数を連結することにより、スライド長さの違いに容易に対応でき、設置スペースに応じた高い汎用性が得られる。
【００１６】
固定ベース３には、前後方向に延在しかつ床２側に開放された矩形断面溝形状の枕木挿入溝３ａが設けられている。枕木挿入溝３ａは、キャビネット１の前面と同一面となる前面部分に開口している。
【００１７】
上記した基本枕木５は、図２に併せて示されるように、固定ベース３への結合状態で固定ベース３の外側に延出される枕木本体５ａと、枕木挿入溝３ａにその開口から挿入されて枕木挿入溝３ａの全長に亘って受容される結合用延長部５ｂとからなる。また、枕木挿入溝３ａは、結合用延長部５ｂをほぼ隙間無く受容し得る断面形状に形成されている。
【００１８】
図２に示されるように、枕木挿入溝３ａと結合用延長部５ｂとの上側部分同士の適所がボルトＢ１により結合されて、固定ベース３に基本枕木５が連結かつ固定される。ボルトＢ１の結合作業は、キャビネット１の公知構造の着脱自在な底板を外すことにより、キャビネット１内で上方から行うことができる。
【００１９】
なお、固定状態のキャビネット１の１列のみの使用状態では、平板状の目隠しカバー（図示せず）を固定ベース３の対応する面に取りつけることにより、枕木挿入溝３ａを隠すことができるため、美観が損なわれることはない。
【００２０】
図３に併せて示されるように、基本枕木５は、Ｃチャンネル形状に形成されており、設置状態では開放側とは相反する側の平坦な背板部分を上方に向けている。その背板部分の枕木本体５ａにおける上面にレール６が取り付けられるため、枕木本体５ａの背板部分には複数のねじ止め用のタップ孔５ｃが所定位置に設けられている。
【００２１】
一方、レール６の対応する位置にはねじ挿通孔６ａ（図３参照）が設けられており、例えばレール６の下面に突設された位置決めピン（図示省略）を枕木本体５ａに対応して設けられた位置決め孔５ｆに係合させることによりレール６が位置決めされる。その位置決めにより、レール６のねじ挿通孔６ａとタップ孔５ｃとは整合し、ボルトＢ２をタップ孔５ｃにねじ込んで、枕木本体５ａとレール６とが一体化される。
【００２２】
なお、図３に示されるように、枕木本体５ａの結合用延長部５ｂとは相反する側の前側端部５ｄはキャビネット４の前側方向に開口している。スライドキャビネット４を１列だけ配置した状態で使用する場合には、前側端部５ｄの開口端には図１に示される化粧板としてのレール前カバー２１が取り付けられる。レール前カバー２１は、前側端部５ｄに没入状態に取り付けられる端板部材９に、例えばファスナ止めにより取り付けられるもので良い。
【００２３】
端板部材９は、前側端部５ｄ側のレール６と共締めで枕木本体５ａに取り付けられるようになっている。例えば、枕木本体５ａの対応する部分にストレート孔形状のねじ挿通孔５ｅを設け、端板部材９には上記タップ孔５ｃと同様のタップ孔９ａを設けておく。そして、端板部材９を前側端部５ｄに没入状態に組み付け、ねじ挿通孔５ｅとタップ孔９ａとを整合させて、図３に示されるように、ボルトＢ２を両ねじ挿通孔６ａ・５ｅに通してタップ孔９ａにねじ込むことにより、枕木本体５ａにレール６が取り付けられると共に端板部材９も取り付けられる。
【００２４】
なお、基本枕木５の固定ベース３への結合前に基本枕木５とレール６とを一体化しておくことができる。例えば、キャビネット１台分ずつの単位で一体化しておくことにより、基本枕木５とレール６とを一体化した台座としての取り扱い性が良くなる。
【００２５】
枕木本体５ａにおける各レール６の取り付け位置近傍には、公知構造のねじ組み付けにより高さ調整可能にしたアジャスタ８が組み付けられている。アジャスタ８を回すことにより床２の凹凸による各アジャスタ８間の高さ違いを修正することができ、レール６の水平設置における高さ調整を行うことができる。高さ調整後には、図１に示されるように例えばアングル形状のブラケット（床固定金具）１０を介して枕木本体５ａの側面を床２にアンカー止めして、基本枕木５を固定する。なお、レール６の固定キャビネット１に対する平行度は、各部品の加工及び組立精度を確保しておくことにより、固定ベース３への基本枕木５の結合により確保されるため、特に調整を必要としない。
【００２６】
また、固定されたキャビネット１の上面における前縁近傍にはキャビネット１の並び方向に延在する上部レール１１が取り付けられている。上部レール１１は、図示例では上方に開放された互いに平行な２本のレール溝１１ａ・１１ｂからなり、１列に並べられた複数のキャビネット１に亘って設けられている。
【００２７】
一方、スライドキャビネット４の上面における後縁近傍かつ幅方向中央部分には板状の連結部材１２の一端部１２ａが片持ち支持状態に取り付けられている。連結部材１２はスライドキャビネット４から固定キャビネット１側となる後方に延出するように設けられている。連結部材１２の他端部（後方延出端部）１２ｂが上部レール１１のスライドキャビネット４側のレール溝１１ａに上方から突入している。連結部材１２の他端部１２ｂは、スライドキャビネット４と共にレール溝１１ａ内を移動可能であり、キャビネット４の前面側への倒れに対してはレール溝１１ａの前側壁に係合し得る。この係合により、キャビネット４の倒れが防止されている。
【００２８】
このようにして、図４に示されるように、固定キャビネット１の前面側に、上記したように各台車７に載置状態に設けられて互いに独立してスライド可能にされたキャビネット４が設置される。固定キャビネット１に対して２列目となる各スライドキャビネット４は、固定列のキャビネット１より少なくとも１台少ない数とすることにより、後列となる各固定キャビネット１に対する物品の出し入れに支障を来すことがない。
【００２９】
さらに、本発明によれば、３列目（スライド列としては２列目）以降にもスライドキャビネットを増設することができる。その増設要領について以下に説明する。なお、３列目として増設されるキャビネットは、２列目のスライドキャビネット４と同じ構成であって良く、台車７との一体化構造も同じである。したがって、レール６の配設要領も同じであり、それらについての詳しい説明は省略する。
【００３０】
３列目にスライドキャビネット増設する場合には、基本枕木５の前側端部５ｄの開口を塞いでいる端板部材９を取り外し、その端板部材９に代えて床固定部材としての増設枕木１５を結合する（図１参照）。
【００３１】
増設枕木１５は、図２に示されるように、増設用の２本のレール６の外幅とほぼ同じ長さの枕木本体１５ａと、枕木本体１５ａから突出するように設けられた連結用凸状部分１５ｂとからなる。連結用凸状部分１５ｂは、端板部材９の対応部分と同じく、基本枕木５の前側端部５ｄ内にほぼ隙間無く没入し得る外形に形成されされている。連結用凸状部分１５ｂには上記端板部材９のタップ孔９ａと同様にタップ孔１５ｃが設けられている。
【００３２】
図３に示されるように、端板部材９の代わりに増設枕木１５の連結用凸状部分１５ｂを前側端部５ｄに没入し、レール６のねじ挿通孔６ａにボルトＢ２を挿通してタップ孔１５ｃにねじ込むことにより、レール６と連結用凸状部分１５ｂとの間に基本枕木５を挟持した形態で、基本枕木５にレール６が取り付けられると共に増設枕木１５が連結される。
【００３３】
増設枕木１５にも、その枕木本体１５ａの上面を形成する部分に２本のレール６が平行に取り付けられる。増設枕木１５には、レール取り付け用に所定数のタップ孔１５ｃ及び位置決め孔１５ｆが所定位置に設けられている。基本枕木５側のレール６は、その位置決めピンを枕木本体１５ａの位置決め孔１５ｆに係合させて、枕木本体１５ａに位置決めされ、ボルトＢ２をレール６のねじ挿通孔６ａに通してタップ孔１５ｃにねじ込んで、枕木本体１５ａに一体的に取り付けられる。
【００３４】
基本枕木５側とは相反する側のレール６は、その位置決めピンを枕木本体１５ａの位置決め孔１５ｆに係合させて、枕木本体１５ａに位置決めされる。また、基本枕木５の対応する部分への取り付け要領を示す図３に併せて示されるように、基本枕木５から取り外した端板部材９を連結用凹状部分１５ｄに没入状態に組み付ける（図の二点鎖線の矢印）。そして、上記した基本枕木５への取り付け要領と同じように、ボルトＢ２をレール６及び増設枕木１５の各ねじ挿通孔６ａ・１５ｅに通して端板部材９のタップ孔９ａにねじ込んで、増設枕木１５にレール６が一体的に取り付けられる。このようにして、増設枕木１５に２本のレール６が一体的に取り付けられることによりスライドキャビネット用台座１７が構成される。
【００３５】
２本のレール６は増設枕木１５（枕木本体１５ａ）に対して直交する向きに取り付けられ、連結用凸状部分１５ｂの突出方向は枕木本体１５ａの長手方向と同じにされることにより、基本枕木５の枕木本体５ａに連結された状態で、枕木本体５ａと増設枕木１５とが直線上に位置し得るようになり、基本枕木５上のレール６と増設枕木１５上のレール６との平行度が連結作業のみで容易に確保され得る。なお、増設枕木１５とレール６とは、基本枕木５への結合前に一体的に結合した状態に組み立てておくと良い。
【００３６】
基本枕木５に増設枕木１５を連結し、上記と同様にアジャスタ８により高さ調整を行ったら、上記と同様にアングル形状のブラケット（床固定金具）１０を介して枕木本体１５ａの側面を床２にアンカー止めして、増設枕木１５を固定する。
【００３７】
なお、増設されるスライドキャビネット用台座の２本のレール６における設置済みキャビネット４側のものは、既設台座（枕木本体５ａ）の隣接するレール６と近接しており、かつ連結用凸状部分１５ｂが枕木本体５ａのレール６支持部分と一体的に結合されていることから、その部分の高さ調整は枕木本体５ａ側のアジャスタ８のみで十分である。したがって、増設枕木１５における枕木本体５ａ側にはアジャスタ８は設ける必要が無く、これにより高さ調整に支障を来すことなく部品点数を削減し得る。
【００３８】
また、増設枕木１５における基本枕木５側とは相反する側の前側端部からなる連結用凹状部分１５ｄは、基本枕木５の前側端部５ｄと同じ形状に形成されていると良い。これにより、増設のために取り外した端板部材９を増設枕木１５の連結用凹状部分１５ｄに取り付けることができ、上記と同様に、端板部材９を介してレール前カバー２１を取り付けることができ、美観性が損なわれることが無い。
【００３９】
このようにして増設された増設枕木１５及びレール６上には、図５に示されるように３列目（スライド列としては２列目）のスライドキャビネット１４が配設される。そして、この３列目のスライドキャビネット１４の倒れを防止するための連結部材１６が上記連結部材１２と同様に設けられている。
【００４０】
３列目用の連結部材１６は、３列目のキャビネット１４の後縁部分から上部レール１１の後側に位置するレール溝１１ｂに至るように、連結部材１２と同様に板材を曲折して連結部材１２を跨ぐ形状に形成されている。連結部材１６の一端部１６ａは３列目のキャビネット４の上面の後縁かつ中央部分に片持ち支持状態に取り付けられている。
【００４１】
そして、連結部材１６の他端部（延出端部）１６ｂが上部レール１１に至り、その後方側（キャビネット１の後面側）のレール溝１１ｂ内に上記した連結部材１２の他端部１２ｂと同様にスライド可能に突入している。これにより、上記した２列目のスライドキャビネット４と同様に、３列目のスライドキャビネット１４の前側への倒れが防止される。
【００４２】
また、図５に示されるように、２本のレール６の間の空間部分には、キャビネット４・１４の１台分に対応する長さの台座カバー２２が取り付けられる。台座カバー２２の取り付け状態における上面により、レール６の上面とほぼ同じ高さの平坦な表面が形成され、スライドキャビネット４・１４が移動して空いた部分における上面の良好な美観性及び後側のキャビネットに対するアクセス時のつまずき防止が確保されるようになっている。
【００４３】
なお、３列目のスライドキャビネット１４も、固定キャビネット１の数よりも少なくとも１台以上少なくすることにより、１台分スライドさせて、２列目のスライドキャビネット４及び固定キャビネット１に対する物品の出し入れを行うことができる。
【００４４】
このようにして、３列目にスライドキャビネット１４を設置することができ、スライド可能なキャビネット列が２列になり、限られたスペースにける収容効率を向上させることができる。さらに、収納物が増えるのに合わせて、可能な限りスライド可能なキャビネット列を増やすことができる。
【００４５】
上記した２本の基本枕木５はキャビネット４の１台分の幅（スライド方向長さ）内に配置されている。したがって、キャビネット４をスライドさせることによりキャビネット４の１台分の幅の作業スペースが確保されるため、その作業スペース内で２本の基本枕木５に対する２本の増設枕木１５を連結する作業を何等問題なく容易に行うことができる。そして、さらに増設する場合にも、基本枕木５と増設枕木１５とは一直線上に連結されることから、キャビネット１４の１台分の幅（スライド方向長さ）内に２本の増設枕木１５が配置されるようになり、４列目のスライドキャビネットの増設の場合には、３列目のスライドキャビネット１４を１台分スライドさせることにより、さらに２本の増設枕木１５の連結を何等問題なく容易に行うことができる。
【００４６】
また、本発明によれば、上記実施形態ではスライドキャビネット４・１４の列を２列としたが、スライドキャビネット列を３列以上にすることも可能である。スライドキャビネットを増設する場合には、上記増設枕木１５及びレール６による増設用台座を上記と同様に設置してレール６の列を増やせば良い。その増設要領は、上記した増設枕木１５及びレール６の増設要領と同じであり、何列でも増設可能である。なお、上部レール１１のレール溝も対応する本数分増設し、連結部材１６と同様の連結部材を設ければ良い。
【符号の説明】
【００４７】
１  固定キャビネット
４  スライドキャビネット
５  基本枕木
６  レール
７  台車
１１  上部レール
１２  連結部材
１４  スライドキャビネット
１５  増設枕木
１５ａ  枕木本体
１５ｂ  連結用凸状部分
１５ｃ  タップ孔
１５d  連結用凹状部分
１６  連結部材
【図１】
2011120738.tif 000003
【図２】
2011120738.tif 000004
【図３】
2011120738.tif 000005
【図４】
2011120738.tif 000006
【図５】
2011120738.tif 000007